(57)【要約】【課題】  ＯＦＤＭ復調器の設計における自由度を向上させること。【解決手段】  ＯＦＤＭ送信装置２により、ＳＰ信号が単位シンボル列において対称に配置され、ＯＦＤＭ受信装置３により、アッパーヘテロダイン方式およびローワーヘテロダイン方式のいずれかによって、受信信号が中間周波数帯に周波数変換される。このとき、ＳＰ信号が単位シンボル列において対称に配置されているため、ＳＰ信号に基づく位相振幅補正を行う処理を、アッパーヘテロダイン方式およびローワーヘテロダイン方式の場合で変更する必要がない。したがって、ＯＦＤＭ復調器の設計における自由度を向上させることが可能となる。【選択図】  図２
2006101085.tif 000002
【特許請求の範囲】
【請求項１】
位相振幅補正に用いるスキャタードパイロット信号をサブキャリアに含めて送信するＯＦＤＭ伝送システムであって、
ＯＦＤＭ信号を送信するＯＦＤＭ送信装置は、チャネルを構成する各サブキャリアの周波数軸方向に並ぶシンボル列において、スキャタードパイロット信号を対称な位置に配置するスキャタードパイロット信号配置手段を備え、
ＯＦＤＭ信号を受信するＯＦＤＭ受信装置は、受信した前記スキャタードパイロット信号に基づいて位相振幅補正を行う位相振幅補正手段を備えることを特徴とするＯＦＤＭ伝送システム。
【請求項２】
前記ＯＦＤＭ受信装置は、受信信号を周波数変換するためのミキシング周波数を、搬送波周波数より所定周波数高い周波数あるいは所定周波数低い周波数に設定するミキシング周波数設定手段と、前記ミキシング周波数に応じて周波数変換された受信信号から、該ミキシング周波数の前記搬送波周波数に対する高低を検出する検出手段と、前記受信信号に対し、前記検出手段の検出結果に応じて引き続く復調処理を行う後段復調処理手段とをさらに備えることを特徴とする請求項１記載のＯＦＤＭ伝送システム。
【請求項３】
前記ＯＦＤＭ送信装置は、前記サブキャリアに乗せるスキャタードパイロットシンボルを所定の疑似雑音符号によってランダム化処理するシンボル配置手段をさらに備え、
前記後段復調処理手段は、前記検出手段によって、前記ミキシング周波数が前記搬送波周波数より高いことが検出された場合に、前記シンボル配置手段において用いられた疑似雑音符号に対応するスペクトル反転時用の疑似雑音符号を用いて復調処理を行うことを特徴とする請求項２記載のＯＦＤＭ伝送システム。
【請求項４】
位相振幅補正に用いるスキャタードパイロット信号をサブキャリアに含めて送信するＯＦＤＭ伝送システムにおけるＯＦＤＭ送信装置であって、
チャネルを構成する各サブキャリアの周波数軸方向に並ぶシンボル列において、スキャタードパイロット信号を対称な位置に配置するスキャタードパイロット信号配置手段を備えることを特徴とするＯＦＤＭ送信装置。
【請求項５】
位相振幅補正に用いるスキャタードパイロット信号をサブキャリアに含めて送信するＯＦＤＭ伝送システムにおけるＯＦＤＭ受信装置であって、
ＯＦＤＭ信号を送信するＯＦＤＭ送信装置から、チャネルを構成する各サブキャリアの周波数軸方向に並ぶシンボル列において、スキャタードパイロット信号を対称な位置に配置したＯＦＤＭ信号を受信し、受信した前記スキャタードパイロット信号に基づいて位相振幅補正を行う位相振幅補正手段を備えることを特徴とするＯＦＤＭ受信装置。
【請求項６】
受信信号を周波数変換するためのミキシング周波数を、搬送波周波数より所定周波数高い周波数あるいは所定周波数低い周波数に設定するミキシング周波数設定手段と、
前記ミキシング周波数に応じて周波数変換された受信信号から、該ミキシング周波数の前記搬送波周波数に対する高低を検出する検出手段と、
前記受信信号に対し、前記検出手段の検出結果に応じて引き続く復調処理を行う後段復調処理手段とをさらに備えることを特徴とする請求項５記載のＯＦＤＭ受信装置。
【請求項７】
前記ＯＦＤＭ送信装置から、前記サブキャリアに乗せるスキャタードパイロットシンボルを所定の疑似雑音符号によってランダム化処理されたＯＦＤＭ信号を受信し、
前記後段復調処理手段は、前記検出手段によって、前記ミキシング周波数が前記搬送波周波数より高いことが検出された場合に、前記ＯＦＤＭ送信装置において用いられた疑似雑音符号に対応するスペクトル反転時用の疑似雑音符号を用いて復調処理を行うことを特徴とする請求項６記載のＯＦＤＭ受信装置。
【請求項８】
位相振幅補正に用いるスキャタードパイロット信号をサブキャリアに含めて送信するＯＦＤＭ伝送方法であって、
ＯＦＤＭ信号を送信するＯＦＤＭ送信装置により、チャネルを構成する各サブキャリアの周波数軸方向に並ぶシンボル列において、スキャタードパイロット信号を対称な位置に配置するスキャタードパイロット信号配置ステップと、
ＯＦＤＭ信号を受信するＯＦＤＭ受信装置により、受信した前記スキャタードパイロット信号に基づいて位相振幅補正を行う位相振幅補正ステップと、
を含むことを特徴とするＯＦＤＭ伝送方法。
【発明の詳細な説明】
【技術分野】
【０００１】
本発明は、位相振幅補正に用いるスキャタードパイロット信号をサブキャリアに含めて送信するＯＦＤＭ伝送システム、ＯＦＤＭ送信装置、ＯＦＤＭ受信装置およびＯＦＤＭ伝送方法に関する。
【背景技術】
【０００２】
近年、地上波デジタル放送等において、ＯＦＤＭ（Orthogonal Frequency Division Multiplexing）伝送が用いられている。
ＯＦＤＭ伝送においては、中心周波数が異なり互いに直交するように帯域を割り当てた複数のサブキャリアが用いられる。そして、送信するデータを分割し、分割した各データをこれらのサブキャリアに乗せて並列に送信する。
【０００３】
したがって、ＯＦＤＭ伝送の場合、複数のサブキャリアが広帯域に渡って存在すると共に、ＯＦＤＭシンボルの伝送速度を比較的低速なものとすることができ、また信号の一端にガードインターバルというコピー信号を有することによりマルチパスフェージングに強いという特徴を有している。
このようなＯＦＤＭ伝送において、受信側における位相および振幅補正のためにスキャタードパイロット（ＳＰ：Scattered Pilot）信号と呼ばれる特殊信号をサブキャリアに含めて送信する方式が提案されており、例えば地上波デジタル放送（ＩＳＤＢ−Ｔ）において採用されている。
【０００４】
図３は、サブキャリアにＳＰ信号が挿入されている状態を示す模式図であり、横軸は周波数、縦軸は時間軸を示している。
図３に示すように、各サブキャリアにおける同一時間のシンボルでは、ＳＰ信号が周波数軸上において隣接する３つのサブキャリア毎に１つ挿入されており、時間軸上において、そのＳＰ信号のシンボルが４シンボル周期で挿入されている。
【０００５】
なお、ＯＦＤＭ伝送方式については、例えば特許文献１を始め、多数の文献に記載されている。
【特許文献１】特開２００３−１５２５８１号公報
【発明の開示】
【発明が解決しようとする課題】
【０００６】
しかしながら、従来のＯＦＤＭ伝送方式におけるＯＦＤＭ信号は、上述の図３に示すように、各サブキャリアにおける同一時間のシンボルにおいて、ＳＰ信号が周波数軸上で隣接する３つのサブキャリア毎に１つ挿入されており、時間軸上において、そのＳＰ信号のシンボルが４シンボル周期で挿入されている。そのため、周波数軸方向に並ぶシンボル（即ち、チャネルを構成するセグメント）において、ＳＰ信号が左右非対称に配置されていることとなる。
【０００７】
このようなＯＦＤＭ信号においては、復調側において、搬送波を所定の中間周波数に変換する際、中間周波数を生成するためのミキシング周波数を受信周波数に対して高周波側に設定するか、低周波側に設定するかによって、位相振幅補正を行う回路を異なるものとする必要があった。
即ち、搬送波周波数より低いミキシング周波数とした場合（ノーマルモード）、各サブキャリアのシンボルは順方向に並び、搬送波周波数より高いミキシング周波数とした場合（リバースモード）、各サブキャリアのシンボルは逆方向に並ぶこととなる。そのため、ノーマルモードの場合とリバースモードの場合でＳＰ信号の配置が反転することとなり、異なるモードで抽出されたシンボルをそのまま位相振幅補正を行う回路に入力することができなかった。
【０００８】
このような理由から、従来のＯＦＤＭ伝送方式の場合、ＯＦＤＭ復調器の設計における自由度が制限されることとなっていた。
なお、ノーマルモードとリバースモードとを切り換えて復調する復調器も存在するが、このような復調器の場合にも、上述のように、リバースモードではシンボルの配置が反転することから、後段の処理において、リバースモードに対応した処理を行う必要がある。
【０００９】
そして、このような復調器においては、いずれのモードが用いられたかを判別するために繁雑な回路等を備える設計とされており、いずれのモードが用いられたかを容易に判別することが困難である。
本発明の課題は、ＯＦＤＭ復調器の設計における自由度を向上させることである。
【課題を解決するための手段】
【００１０】
以上の課題を解決するため、本発明は、
位相振幅補正に用いるスキャタードパイロット信号をサブキャリアに含めて送信するＯＦＤＭ伝送システムであって、ＯＦＤＭ信号を送信するＯＦＤＭ送信装置は、チャネルを構成する各サブキャリアの周波数軸方向に並ぶシンボル列（例えば、発明を実施するための最良の形態における単位シンボル列）において、スキャタードパイロット信号を対称な位置に配置するスキャタードパイロット信号配置手段（例えば、図１のＳ／Ｐ変換部１１）を備え、ＯＦＤＭ信号を受信するＯＦＤＭ受信装置は、受信した前記スキャタードパイロット信号に基づいて位相振幅補正を行う位相振幅補正手段（例えば、図１の重畳部２１）を備えることを特徴としている。
【００１１】
このような構成により、復調時にスペクトルが反転すること等により、上記シンボル列においてスキャタードパイロット信号が反転した配置となっていても、同一の位相振幅補正処理を行うことが可能となり、スキャタードパイロット信号が反転した状態及び反転していない状態において異なる位相振幅補正回路を備える必要等がなくなる。
したがって、ＯＦＤＭ復調器の設計における自由度を向上させることが可能となる。
【００１２】
また、前記ＯＦＤＭ受信装置は、受信信号を周波数変換するためのミキシング周波数を、搬送波周波数より所定周波数高い周波数あるいは所定周波数低い周波数に設定するミキシング周波数設定手段（例えば、図１のＬＯ２０）と、前記ミキシング周波数に応じて周波数変換された受信信号から、該ミキシング周波数の前記搬送波周波数に対する高低を検出する検出手段（例えば、図１のＦＦＴ部２４）と、前記受信信号に対し、前記検出手段の検出結果に応じて引き続く復調処理を行う後段復調処理手段（例えば、図１のＦＦＴ部２４、サブキャリア復調部２５およびＰ／Ｓ変換部２６）とをさらに備えることを特徴としている。
【００１３】
このような構成により、チャネルを搬送波周波数帯から中間周波数帯に周波数変換する際に、ミキシング周波数を搬送波より高い周波数および低い周波数とすることが可能となる。したがって、ＯＦＤＭ信号の受信状態等に応じて、ミキシング周波数を搬送波より高周波側あるいは低周波側のいずれかに選択して復調することができるため、ＯＦＤＭ信号の復調を適切に行うことができると共に、ＯＦＤＭ復調器の設計における自由度を向上させることが可能となる。
【００１４】
また、前記ＯＦＤＭ送信装置は、前記サブキャリアに乗せるスキャタードパイロットシンボルを所定の疑似雑音符号によってランダム化処理するシンボル配置手段をさらに備え、前記後段復調処理手段は、前記検出手段によって、前記ミキシング周波数が前記搬送波周波数より高いことが検出された場合に、前記シンボル配置手段において用いられた疑似雑音符号に対応するスペクトル反転時用の疑似雑音符号を用いて復調処理を行うことを特徴としている。
【００１５】
このような構成により、スペクトルの反転が生じ、チャネルを構成する各サブキャリアの周波数軸方向に並ぶシンボル列が反転した場合にも、簡単にＯＦＤＭ信号の復調を切り換えることができ、スペクトルの反転が生じていない場合とほぼ同様の復調処理を行うことが可能となる。
また、本発明は、
位相振幅補正に用いるスキャタードパイロット信号をサブキャリアに含めて送信するＯＦＤＭ伝送システムにおけるＯＦＤＭ送信装置であって、チャネルを構成する各サブキャリアの周波数軸方向に並ぶシンボル列において、スキャタードパイロット信号を対称な位置に配置するスキャタードパイロット信号配置手段を備えることを特徴としている。
【００１６】
また、本発明は、
位相振幅補正に用いるスキャタードパイロット信号をサブキャリアに含めて送信するＯＦＤＭ伝送システムにおけるＯＦＤＭ受信装置であって、ＯＦＤＭ信号を送信するＯＦＤＭ送信装置から、チャネルを構成する各サブキャリアの周波数軸方向に並ぶシンボル列において、スキャタードパイロット信号を対称な位置に配置したＯＦＤＭ信号を受信し、受信した前記スキャタードパイロット信号に基づいて位相振幅補正を行う位相振幅補正手段を備えることを特徴としている。
【００１７】
また、受信信号を周波数変換するためのミキシング周波数を、搬送波周波数より所定周波数高い周波数あるいは所定周波数低い周波数に設定するミキシング周波数設定手段と、前記ミキシング周波数に応じて周波数変換された受信信号から、該ミキシング周波数の前記搬送波周波数に対する高低を検出する検出手段と、前記受信信号に対し、前記検出手段の検出結果に応じて引き続く復調処理を行う後段復調処理手段とをさらに備えることを特徴としている。
【００１８】
また、前記ＯＦＤＭ送信装置から、前記サブキャリアに乗せるスキャタードパイロットシンボルを所定の疑似雑音符号によってランダム化処理されたＯＦＤＭ信号を受信し、前記後段復調処理手段は、前記検出手段によって、前記ミキシング周波数が前記搬送波周波数より高いことが検出された場合に、前記ＯＦＤＭ送信装置において用いられた疑似雑音符号に対応するスペクトル反転時用の疑似雑音符号を用いて復調処理を行うことを特徴としている。
【００１９】
また、本発明は、
位相振幅補正に用いるスキャタードパイロット信号をサブキャリアに含めて送信するＯＦＤＭ伝送方法であって、ＯＦＤＭ信号を送信するＯＦＤＭ送信装置により、チャネルを構成する各サブキャリアの周波数軸方向に並ぶシンボル列において、スキャタードパイロット信号を対称な位置に配置するスキャタードパイロット信号配置ステップと、ＯＦＤＭ信号を受信するＯＦＤＭ受信装置により、受信した前記スキャタードパイロット信号に基づいて位相振幅補正を行う位相振幅補正ステップとを含むことを特徴としている。
【００２０】
本発明によれば、ＯＦＤＭ復調器の設計における自由度を向上させることが可能となる。
【発明を実施するための最良の形態】
【００２１】
以下、図を参照して本発明に係るＯＦＤＭ伝送システムの実施の形態を説明する。
まず、構成を説明する。
図１は、本発明に係るＯＦＤＭ伝送システム１の全体構成を示す図である。
図１において、ＯＦＤＭ伝送システム１は、ＯＦＤＭ送信装置２と、ＯＦＤＭ受信装置３とを含んで構成される。
【００２２】
ＯＦＤＭ送信装置２は、入力された画像や音声等の送信対象となるデータをＯＦＤＭ変調して送信する装置であり、シリアル・パラレル変換部（以下、「Ｓ／Ｐ変換部」と言う。）１１と、サブキャリア変調部１２と、逆高速フーリエ変換部（以下、「ＩＦＦＴ部」と言う。）１３と、ガードインターバル付加部（以下、「ＧＩ部」と言う。）１４と、デジタル・アナログ変換部（以下、「Ｄ／Ａ変換部」と言う。）１５と、搬送波生成部１６と、重畳部１７とをさらに含んで構成される。
【００２３】
Ｓ／Ｐ変換部１１は、ＯＦＤＭ送信装置２に入力されたシリアルデータをサブキャリアの数に対応するパラレルデータに変換し、サブキャリア変調部１２に出力する。このとき、Ｓ／Ｐ変換部１１は、所定の生成多項式（例えばＩＳＤＢ−Ｔであればｇ（ｘ）＝ｘ１１＋ｘ９＋１）を用いて生成された擬似雑音（ＰＮ：Pseudo Noise）符号（例えばＰＮ１１符号）に従って、時間インターリーブおよび周波数インターリーブを施した上で、パラレルデータを生成する。
【００２４】
また、Ｓ／Ｐ変換部１１は、各サブキャリアで同一時間に送信されるシンボル列（以下、「単位シンボル列」と言う。）において、所定のパターンでＳＰ信号が配列されるように、パラレルデータを生成する。
具体的には、Ｓ／Ｐ変換部１１は、単位シンボル列において対称な位置にＳＰ信号が配置されるようにパラレルデータを生成する。そして、このＳＰ信号は、時間軸方向に繰り返される単位シンボル列において、対称な位置関係を保ちつつ、隣接する３つのサブキャリア毎に４シンボル周期で挿入される。
【００２５】
図２は、Ｓ／Ｐ信号の配置例を示す模式図である。
図２（ａ），（ｂ）に示すように、ＳＰ信号が、時間軸方向に繰り返される単位シンボル列において、隣接する３つのサブキャリア毎に４シンボル周期で挿入されながら、対称な位置関係を保つために、サブキャリアの数は、１２ｎ＋１本（ｎは正の整数）が選択される。
【００２６】
なお、図２に示すＳＰ信号の配置は一例を示すものであり、時間軸方向に繰り返される単位シンボル列において、対称な位置関係を保ちつつ、隣接する３つのサブキャリア毎に４シンボル周期で挿入されていれば、他の配置とすることも可能である。
図１に戻り、サブキャリア変調部１２は、Ｓ／Ｐ変換部１１によって入力されたデータを基に、ＯＦＤＭ信号を構成するサブキャリア毎の変調処理を施し、その処理結果である変調信号をＩＦＦＴ部１３に出力する。
【００２７】
ＩＦＦＴ部１３は、サブキャリア変調部１２によって入力された各変調信号に対し、逆高速フーリエ変換を施し、その変換結果である時間領域のシンボルそれぞれをＧＩ部１４に出力する。
ＧＩ部１４は、ＩＦＦＴ部１３によって入力された、各サブキャリアに対応する時間領域のシンボルそれぞれにガードインターバルを付加し、有効シンボルとガードインターバルからなる信号フレームを生成する。そして、ＧＩ部１４は、生成した信号フレームをＤ／Ａ変換部１５に出力する。
【００２８】
Ｄ／Ａ変換部１５は、ＧＩ部１４によって入力された信号フレームをデジタル・アナログ変換し、変換後のアナログ信号を重畳部１７に出力する。
搬送波生成部１６は、ＯＦＤＭ送信装置２から送信されるチャネルの中心周波数の搬送波を生成し、重畳部１７に出力する。
重畳部１７は、搬送波生成部１６によって入力された搬送波とＤ／Ａ変換部１５によって入力されたアナログ信号とを重畳して変調し、変調結果であるＯＦＤＭ信号をアンテナから送信する。
【００２９】
なお、重畳部１７から出力されるＯＦＤＭ信号は、図２に示すシンボルの配置となっている。
次に、ＯＦＤＭ受信装置３は、アンテナを介して受信したＯＦＤＭ信号を、画像や音声等のデータにＯＦＤＭ復調する装置であり、バンドパスフィルタ（以下、「ＢＰＦ」と言う。）１８と、低雑音増幅器（以下、「ＬＮＡ」と言う。）１９と、ローカルオシレータ（以下、「ＬＯ」と言う。）２０と、重畳部２１と、アナログ・デジタル変換部（以下、「Ａ／Ｄ変換部」と言う。）２２と、ガードインターバル除去部（以下、「ＧＩ除去部」と言う。）２３と、高速フーリエ変換部（以下、「ＦＦＴ部」と言う。）２４と、サブキャリア復調部２５と、パラレル・シリアル変換部（以下、「Ｐ／Ｓ変換部」と言う。）２６とをさらに含んで構成される。
【００３０】
ＢＰＦ１８は、アンテナを介して受信した信号のうち、ＯＦＤＭ受信装置３において受信されるチャネルの周波数帯域を選択し、選択した信号をＬＮＡ１９に出力する。
ＬＮＡ１９は、ＢＰＦ１８によって入力された信号を低雑音増幅し、増幅した信号を重畳部２１に出力する。
ＬＯ２０は、ＬＮＡ１９によって入力された信号（以下、「ＬＮＡ出力信号」と言う。）を所定の中間周波数に変換するためのミキシング周波数を持つ信号を発生し、発生した信号を重畳部２１に出力する。
【００３１】
重畳部２１は、ＬＯ２０によって入力された所定ミキシング周波数の信号とＬＮＡ出力信号とを重畳する。これにより、ミキシング周波数とＬＮＡ出力信号の周波数（即ち、搬送波周波数）との差にあたる周波数を中心周波数とする周波数帯に、ＬＮＡ出力信号が周波数変換される。
このとき、ミキシング周波数がＬＮＡ出力信号より高い周波数のものであれば、スペクトルの反転はなく、ミキシング周波数がＬＮＡ出力信号より低い周波数のものであれば、スペクトルが反転した状態に変換される。
【００３２】
例えば、ＬＮＡ出力信号の周波数（搬送波周波数）が５５７ＭＨｚである場合、ミキシング周波数を５００ＭＨｚとすると、５７ＭＨｚを中心周波数とする周波数帯にＬＮＡ出力信号が変換される。一方、ミキシング周波数を６１４ＭＨｚとすると、同様に５７ＭＨｚを中心周波数とする周波数帯にＬＮＡ出力信号が変換されるが、スペクトルは、ミキシング周波数が５００ＭＨｚの場合に対して反転した状態で表れる。
【００３３】
したがって、単位シンボル列においては、ミキシング周波数が搬送波周波数より低い場合には、送信された状態と同様のシンボルの配置となり、ミキシング周波数が搬送波周波数より高い場合には、送信された状態に対し、反転した状態のシンボルの配置となる。
ここで、ＯＦＤＭ伝送においては、単位シンボル列に含まれるＳＰ信号を基に位相振幅補正が行われるが、本発明に係るＯＦＤＭ伝送システム１では、単位シンボル列において、対称なＳＰ信号の配置とされていることから、搬送波周波数に対してミキシング周波数が高い場合および低い場合のいずれにおいても、同一の処理によって位相振幅補正を行うことが可能である。
【００３４】
本実施の形態においては、重畳部２１が、ＳＰ信号の受信状態から伝送路の特性を推定し、中間周波数帯とされた信号に位相振幅補正を行った上で出力するものとする。
なお、搬送波周波数に対してミキシング周波数が高い場合、反転したスペクトルに応じた復調処理を行う必要があり、重畳部２１に続く処理において、スペクトルの反転を検出する必要がある。
【００３５】
Ａ／Ｄ変換部２２は、重畳部２１によって入力された中間周波数帯のアナログ信号をデジタル信号に変換し、ＧＩ除去部２３に出力する。
ＧＩ除去部２３は、Ａ／Ｄ変換部２２によって入力されたデジタル信号からガードインターバルを除去し、有効シンボル部分をＦＦＴ部２４に出力する。
ＦＦＴ部２４は、ＧＩ除去部２３によって入力された時間領域のシンボルに対し、高速フーリエ変換を施し、その変換結果である、各サブキャリアに対応する変調信号（単位シンボル列）をサブキャリア復調部２５に出力する。
【００３６】
このとき、ＦＦＴ部２４は、ＯＦＤＭ送信装置２のＳ／Ｐ変換部１１において用いられたＰＮ符号（例えばＰＮ１１符号）と単位シンボル列に含まれる所定のＳＰ信号との相関性から、スペクトルが反転しているか否かを判定し、その結果に応じて高速フーリエ変換を行う。
具体的には、単位シンボル列における特定のＳＰ信号（例えば、周波数が最小のサブキャリアに配置されたＳＰ信号）が示すデータに対し、ＯＦＤＭ送信装置２のＳ／Ｐ変換部１１において用いられたＰＮ符号の生成多項式（例えばＩＳＤＢ−Ｔであればｇ（ｘ）＝ｘ１１＋ｘ９＋１）から生成したＰＮ符号の乗算を行い、乗算結果が全て“１”となれば、スペクトルの反転がない（即ち、ミキシング周波数が搬送波周波数より低い）と判定し、重畳結果のいずれかが“０”となれば、スペクトルの反転がある（即ち、ミキシング周波数が搬送波周波数より高い）と判定する。
【００３７】
なお、スペクトルの反転がある場合、スペクトルの反転に対応する生成多項式から生成したＰＮ符号によって、時間および周波数インターリーブ等、以後の処理が行われる。例えば、ＩＳＤＢ−Ｔの場合、スペクトルの反転がない場合、ＰＮ符号の生成多項式として、ｇ（ｘ）＝ｘ１１＋ｘ９＋１を用いるのに対し、スペクトルが反転している場合、ＰＮ符号の生成多項式として、ｇ（ｘ）＝ｘ１１＋ｘ２＋１を用いる。
【００３８】
このように、本発明に係るＯＦＤＭ伝送システム１においては、ミキシング周波数の選択に基づくスペクトルの反転を、所定のＳＰ信号とＰＮ符号との重畳によって容易に検出することができる。また、スペクトルの反転が生じた場合に、それに対応する復調処理に簡単に切り換えることができる共に、スペクトルの反転が生じていない場合とほぼ同様の復調処理を行うことができる。
【００３９】
サブキャリア復調部２５は、ＦＦＴ部２４によって入力された変調信号それぞれに対し、各サブキャリアに対応する復調処理を施し、その処理結果であるパラレルデータをＰ／Ｓ変換部２６に出力する。
Ｐ／Ｓ変換部２６は、サブキャリア復調部２５によって入力されたパラレルデータをシリアルデータに変換し、受信した画像あるいは音声信号として出力する。このとき、Ｐ／Ｓ変換部２６は、ＯＦＤＭ送信装置２のＳ／Ｐ変換部１１において用いられたＰＮ符号に従って、時間インターリーブおよび周波数インターリーブされたデータを復元した上で、シリアルデータを生成する。
【００４０】
なお、Ｐ／Ｓ変換部２６に続き、画像あるいは音声のデコーダ等による処理が行われることにより、音声あるいは画像が再生される。
次に、動作を説明する。
まず、ＯＦＤＭ送信装置２に対し、送信対象となる音声あるいは画像等のデータが入力されると、それらのデータが、Ｓ／Ｐ変換部１１において、時間および周波数インターリーブが施され、単位シンボル列において対称な位置にＳＰ信号が配列されたパラレルデータとされる。
【００４１】
そして、これらのパラレルデータが、サブキャリア変調部１２において、各サブキャリアに対応する変調を施され、続いて、ＩＦＦＴ部１３において、逆高速フーリエ変換される。
ＩＦＦＴ部１３から出力された時間領域のシンボルは、ＧＩ部１４においてガードインターバルを付加され、さらに、Ｄ／Ａ変換部１５において、アナログ信号に変換される。
【００４２】
このアナログ信号は、重畳部１７において変調され、アンテナを介して送信される。
すると、この変調信号がＯＦＤＭ受信装置３のアンテナを介して受信され、ＢＰＦ１８において、所定のチャネルに対応する周波数領域が抽出される。
ＢＰＦ１８において抽出された信号は、ＬＮＡ１９において増幅された後、重畳部２１において、所定のミキシング周波数を持つ信号と重畳されることにより、所定の中間周波数帯に変換される。
【００４３】
このとき、ミキシング周波数を搬送波に対して低周波側とする（ローワーヘテロダイン方式とする）と、スペクトルの反転がない状態（ノーマルモード）となり、ミキシング周波数を搬送波に対して高周波側とする（アッパーヘテロダイン方式とする）と、スペクトルの反転が生じた状態（リバースモード）となる。
また、中間周波数帯に変換された信号に対し、重畳部２１においてＯＦＤＭ伝送に従う位相振幅補正が行われる。
【００４４】
この位相振幅補正においては、単位シンボル列にＳＰ信号が対称に配置されていることから、ノーマルモードの場合およびリバースモードの場合によって、異なる回路あるいは処理を施す必要がなく、ＯＦＤＭ受信装置３の製造コストを低減できると共に、必要に応じて、いずれのモードも選択できることから、装置の設計における自由度を向上させることが可能となる。
【００４５】
そして、重畳部２１から出力された中間周波数帯の信号が、Ａ／Ｄ変換部２２においてデジタル信号とされた後、ＧＩ除去部２３において各シンボルからガードインターバルが除去される。
その結果、有効シンボルのみとなったシンボルに対し、ＦＦＴ部２４において、スペクトルの反転状態が検出され、その結果に応じた高速フーリエ変換が施される。
【００４６】
さらに、サブキャリア復調部２５において、それぞれのサブキャリアに対応する復調処理が施される。
そして、各サブキャリアに対応する復調により得られたパラレルデータが、Ｐ／Ｓ変換部２６においてシリアルデータとされ、ＯＦＤＭ受信装置３の出力データとされる。
以上のように、本実施の形態に係るＯＦＤＭ伝送システム１は、ＯＦＤＭ送信装置２により、ＳＰ信号が単位シンボル列において対称に配置され、ＯＦＤＭ受信装置３により、アッパーヘテロダイン方式およびローワーヘテロダイン方式のいずれかによって、受信信号が中間周波数帯に周波数変換される。このとき、ＳＰ信号が単位シンボル列において対称に配置されているため、ＳＰ信号に基づく位相振幅補正を行う処理を、アッパーヘテロダイン方式およびローワーヘテロダイン方式の場合で変更する必要がない。
【００４７】
したがって、ＯＦＤＭ復調器の設計における自由度を向上させることが可能となる。
また、アッパーヘテロダイン方式によって中間周波数帯に変換した場合、受信信号のスペクトルが反転するが、ＯＦＤＭ受信装置３においては、所定のＳＰ信号とＰＮ符号との相関性に基づいて、スペクトルの反転を検出する。
したがって、スペクトルの反転を容易に検出することができる。
【００４８】
また、ＯＦＤＭ受信装置３は、スペクトルの反転が生じた場合、スペクトル反転時用のＰＮ符号によって、スペクトルの反転が生じていない場合と同様の復調処理を行う。
したがって、スペクトル反転時に対応する復調処理に簡単に切り換えることができると共に、スペクトルの反転が生じていない場合とほぼ同様の復調処理を行うことができる。
【図面の簡単な説明】
【００４９】
【図１】本発明に係るＯＦＤＭ伝送システム１の全体構成を示す図である。
【図２】Ｓ／Ｐ信号の配置例を示す模式図である。
【図３】サブキャリアにＳＰ信号が挿入されている状態を示す模式図である。
【符号の説明】
【００５０】
１  ＯＦＤＭ伝送システム，２  ＯＦＤＭ送信装置，３  ＯＦＤＭ受信装置，１１  Ｓ／Ｐ変換部，１２  サブキャリア変調部，１３  ＩＦＦＴ部，１４  ＧＩ部，１５  Ｄ／Ａ変換部，１６  搬送波生成部，１７，２１  重畳部，２２  Ａ／Ｄ変換部，２３  ＧＩ除去部，２４  ＦＦＴ部，２５  サブキャリア復調部，２６  Ｐ／Ｓ変換部
【図１】
2006101085.tif 000003
【図２】
2006101085.tif 000004
【図３】
2006101085.tif 000005